(57)【要約】【課題】ボックス外に引き出ているケーブルの余長部をボックス内に収納する工程を行う際に、蓋板とボックスとの間にケーブルを挟みこむことを防止するとともに、作業性を向上させることのできる機器箱を得る。【解決手段】機器箱（１０）のボックス（１１）内にケーブル引き込み部（１３）を設けるとともに、ケーブル引き込み部の弾性体（１３３）の伸び方向に移動させた係止部（１３１）にボックス内へ収納されるケーブル（４０）を係止させてボックスの開口部を蓋板（１２）で塞ぐようにする。【選択図】図２
2015015436.tif 000002
【特許請求の範囲】
【請求項１】
開口部と、ケーブルの一端を外部に引き出すケーブル引き出し口と、前記ケーブルを収納するケーブル収納スペースとが設けられたボックスと、
前記ボックスの開口部を塞ぐとともに、前記ケーブル引き出し口から前記ボックス内に引き込まれた前記ケーブルの端部が接続される機器が取り付けられた蓋板と、
前記ケーブルの余長部を係止するための係止部が一端に取り付けられ、他端が固定された、伸縮可能な弾性体を有し、前記ボックスまたは前記蓋板に設けられるケーブル引き込み部と、
を備え、
前記ケーブル引き込み部は、
前記ボックスの開口部が開放されている状態から前記蓋板で塞がれる状態に移行する場合においては、前記ボックスから前記蓋板が離され、かつ前記弾性体が伸ばされている状態で、前記ケーブルの余長部が前記係止部に取り付けられることで、前記ケーブルの余長部を係止し、前記ボックスに前記蓋板が近づけられるにしたがって、係止した前記ケーブルの余長部を、前記弾性体の復元力によって前記ケーブル収納スペースに引き込む状態とし、
前記ボックスの開口部が前記蓋板によって塞がれている状態から開放される状態に移行する場合においては、前記弾性体が伸ばされながら前記ボックスから前記蓋板が離され、係止した前記ケーブルの余長部が前記係止部から取り外されることで前記ケーブルの余長部を係止しない状態とする
機器箱。
【請求項２】
請求項１に記載の機器箱において、
前記機器は、エレベータのかご内壁に設けられるかご操作盤、またはエレベータの乗場壁に設けられる乗場操作盤に用いられる機器である
機器箱。
【発明の詳細な説明】
【技術分野】
【０００１】
本発明は、例えば、乗場またはかご内の壁等に設けられ、位置表示器または呼びボタン等の機器が設置される機器箱に関するものである。
【背景技術】
【０００２】
従来、乗場またはかご内の壁に埋設されたボックス（ケース）に対して、例えば、位置表示器または呼びボタン等の機器が取り付けられた蓋板（カバー）が着脱したり、開閉したりすることが可能になっている機器箱が知られている。また、ボックス内の機器と、ボックス外に存在するエレベータ制御部との間は、ケーブルでつなげられ、制御信号の送受信または電力の供給等がされている（例えば、特許文献１参照）。
【先行技術文献】
【特許文献】
【０００３】
【特許文献１】特開２０１０−２０８７２４号公報
【発明の概要】
【発明が解決しようとする課題】
【０００４】
しかしながら、従来技術には以下のような課題がある。
従来技術においては、例えば、ボックス内の機器の保全作業を行う場合、はじめに蓋板を取り外し（開け）、保全作業終了後に蓋板を再び取り付けている（閉めている）。また、ケーブルの長さにおいては、ボックスから蓋板を取り外す（開ける）場合に、ボックスと蓋板との間を、保守作業を行うために必要な距離だけ離せるように余長部が確保されている。
【０００５】
したがって、蓋板を再び取り付ける（閉める）ときに、ボックス外に引き出ているケーブルの余長部をボックス内に収納する工程（以降では、ケーブル収納工程と称す）を行うのが煩雑になるという問題点があった。また、ケーブル収納工程を行う際に、蓋板とボックスとの間にケーブルを挟みこんでしまい、ケーブルが断線するおそれがあるという問題点があった。
【０００６】
本発明は、前記のような課題を解決するためになされたものであり、ケーブル収納工程を行う際に、蓋板とボックスとの間にケーブルを挟みこむことを防止するとともに、作業性を向上させることのできる機器箱を得ることを目的とする。
【課題を解決するための手段】
【０００７】
本発明における機器箱は、開口部と、ケーブルの一端を外部に引き出すケーブル引き出し口と、ケーブルを収納するケーブル収納スペースとが設けられたボックスと、ボックスの開口部を塞ぐとともに、ケーブル引き出し口からボックス内に引き込まれたケーブルの端部が接続される機器が取り付けられた蓋板と、ケーブルの余長部を係止するための係止部が一端に取り付けられ、他端が固定された、伸縮可能な弾性体を有し、ボックスまたは蓋板に設けられるケーブル引き込み部と、を備え、ケーブル引き込み部は、ボックスの開口部が開放されている状態から蓋板で塞がれる状態に移行する場合においては、ボックスから蓋板が離され、かつ弾性体が伸ばされている状態で、ケーブルの余長部が係止部に取り付けられることで、ケーブルの余長部を係止し、ボックスに蓋板が近づけられるにしたがって、係止したケーブルの余長部を、弾性体の復元力によってケーブル収納スペースに引き込む状態とし、ボックスの開口部が蓋板によって塞がれている状態から開放される状態に移行する場合においては、弾性体が伸ばされながらボックスから蓋板が離され、係止したケーブルの余長部が係止部から取り外されることでケーブルの余長部を係止しない状態とするものである。
【発明の効果】
【０００８】
本発明によれば、機器箱のボックス内にケーブル引き込み部を設けるとともに、ケーブル引き込み部の弾性体の伸び方向に移動させた係止部にボックス内へ収納されるケーブルを係止させてボックスの開口部を蓋板で塞ぐようにする。これにより、ケーブル収納工程を行う際に、蓋板とボックスとの間にケーブルを挟みこむことを防止するとともに、作業性を向上させることのできる機器箱を得ることができる。
【図面の簡単な説明】
【０００９】
【図１】本発明の実施の形態１におけるかご操作盤の全体構成図を示す。
【図２】本発明の実施の形態１におけるかご操作盤の内部構成を示す説明図である。
【図３】本発明の実施の形態１において、ボックスから蓋板が取り外されている状態を示す説明図である。
【図４】本発明の実施の形態１において、フックにケーブルが引っ掛かっている状態を示す説明図である。
【図５】本発明の実施の形態１において、ボックスの開口部を蓋板で塞いでいる状態を示す説明図である。
【発明を実施するための形態】
【００１０】
以下、本発明による機器箱を、好適な実施の形態にしたがって図面を用いて説明する。なお、図面の説明においては、同一要素には同一符号を付し、重複する説明を省略する。
【００１１】
実施の形態１．
図１は、本発明の実施の形態１におけるかご操作盤の全体構成図を示す。なお、図１には、機器箱１０のボックス１１から蓋板１２が取り外された状態で、ボックス１１の内側および蓋板１２の表面側が示されている。また、この図１に一例として示したかご操作盤は、エレベータのかごを操作するためのものであり、かご内壁に設けられている。
【００１２】
図１において、かご操作盤は、かご内壁に設けられた機器箱１０と、機器箱１０に取り付けられた機器であるボタン２０および位置表示器３０とを有している。なお、ここでいうボタン２０とは、かごの行き先階を登録するための行き先階ボタン、かごの出入口の開閉を行うための戸開ボタンおよび戸閉ボタン等を示す。また、ここでいう位置表示器３０は、かごの位置（階床）等を表示する表示器を示す。
【００１３】
図２は、本発明の実施の形態１におけるかご操作盤の内部構成を示す説明図である。なお、図２には、機器箱１０のボックス１１から蓋板１２が取り外された状態で、ボックス１１の内側および蓋板１２の裏面側が示されている。
【００１４】
図２において、機器箱１０は、開口部が設けられたボックス１１と、ボックス１１の開口部を塞ぐ蓋板１２と、ボックス１１の内面に設けられたケーブル引き込み部１３とを有している。また、ケーブル引き込み部１３は、フック１３１、レール１３２、ばね１３３およびばね用固定具１３４を含む。
【００１５】
かご内壁には、かごの内側に開放された空間部が設けられている。ボックス１１は、開口部をかごの内側に向けて開放した状態でかご内壁の空間部内に設置されている。
【００１６】
蓋板１２は、かご内壁の壁面に接触してかご内壁の空間部を塞ぐとともにボックス１１の開口部を塞ぐ。
【００１７】
また、ボックス１１の開口部を塞ぐ蓋板１２は、着脱可能であり、例えば、機器の保全作業時においては、ボックス１１から蓋板１２が取り外され、作業終了時においては、ボックス１１の開口部が蓋板１２で再び塞がれる。
【００１８】
ボタン２０および位置表示器３０は、蓋板１２に取り付けられている。また、ケーブル４０の一端がボタン２０および位置表示器３０に接続されており、他端がボックス１１の側面に設けられたケーブル引き出し口から外部に引き出され、エレベータの制御盤（図示せず）に接続されている。
【００１９】
ボタン２０が操作されると、操作されたボタンに応じた信号がかご操作盤からケーブル４０を介してエレベータの制御盤へ送られる。制御盤は、かご操作盤からの信号を受けると、かご操作盤からの信号に応じたエレベータの行き先階登録等を行う。また、位置表示器３０がかごの位置（階床）等を表示するように、制御信号が制御盤からケーブル４０を介して位置表示器３０へ送られる。
【００２０】
なお、図２に示すように、蓋板１２の裏面に第１ケーブル用固定具５０を設けるとともに、ボックス１１の内面に第２ケーブル用固定具６０を設けて、ケーブル４０をこれらで固定してもよい。
【００２１】
これにより、ボックス１１から蓋板１２を着脱する際にケーブル４０の固定されている部分が動かないので、機器の保全作業および保全作業終了後のケーブル収納工程の作業性をより向上させることができる。
【００２２】
また、第１ケーブル用固定具５０および第２ケーブル用固定具６０の設置位置に関しては、任意に設計することができるが、ボックス１１の開口部を蓋板１２で塞いだ際にそれぞれが対向するとともに、同じ程度の位置高さになるようにすることが好ましい。
【００２３】
これにより、ボックス１１から蓋板１２を取り外す際に外部に引き出すことができるケーブル４０の長さを最も長くすることができる。すなわち、ボックス１１から蓋板１２を取り外す際に、ボックス１１から蓋板１２を最も離れさせることができることとなる。したがって、機器の保全作業の作業性をより向上させることができる。
【００２４】
また、ケーブル４０が屈曲性を有さないものであれば、第１ケーブル用固定具５０および第２ケーブル用固定具６０が設置された位置高さをそれぞれ異なるようにすればよい。
【００２５】
続いて、ボックス１１内には、ボックス１１の開口部を蓋板１２で塞いだ際にボックス１１内の設置物（例えば、機器類、ケーブル類等）と干渉せずにケーブル４０を収納するための空間（ケーブル収納スペース）が確保されている。
【００２６】
また、ボックス１１の開口部が蓋板１２で塞がれている場合には、ケーブル４０が収納スペースに収納され、蓋板１２が取り外されている場合には、ケーブル４０が収納スペースから外部に引き出される。
【００２７】
ケーブル引き込み部１３のばね１３３の一端にはケーブル４０（ケーブル４０の余長部）を係止するための係止部としてフック１３１が接続されており、他端がボックス１１の内面に設けられたばね用固定具１３４によって固定されている。
【００２８】
レール１３２は、ボックス１１の内面に取り付けられており、フック１３１は、ばね１３３が伸縮することで、レール１３２上をばね１３３の伸縮方向に移動する。すなわち、レール１３２およびばね１３３によって、フック１３１の移動範囲が一軸方向に決められる。
【００２９】
ここで、ボックス１１の開口部を蓋板１２で塞ぐ場合には、フック１３１をばね１３３の伸び方向に移動させた状態でフック１３１にケーブル４０が引っ掛けられる。このとき、ばね１３３には元の位置（自然長の位置）に戻ろうとする復元力が働き、ばね１３３の縮み方向にフック１３１が移動するので、フック１３１に引っ掛かっているケーブル４０は、ボックス１１内の収納スペースに引き込まれる。また、蓋板１２を取り外す場合には、フック１３１に引っ掛かっているケーブル４０がフック１３１から外される。
【００３０】
なお、この例では、ばね１３３がコイルばねとされているが、これに限定されず、板ばねを用いてもよく、さらに、これらのばねでなく、一軸方向へ弾性力が働くゴム等の他の弾性体を用いてもよい。また、ケーブル４０を係止するための係止部としては、フック１３１に限定されず、例えば、クリップまたは面ファスナー等を用いてもよい。
【００３１】
次に、ケーブル引き込み部１３の一連の動作について、図３〜図５を参照しながらさらに説明する。図３は、本発明の実施の形態１において、ボックス１１から蓋板１２が取り外されている状態を示す説明図である。図４は、本発明の実施の形態１において、フック１３１にケーブル４０が引っ掛かっている状態を示す説明図である。図５は、本発明の実施の形態１において、ボックス１１の開口部を蓋板１２で塞いでいる状態を示す説明図である。なお、図３〜図５は、先の図１のＡ−Ａ線に沿った断面図である。
【００３２】
＜蓋板１２の取り付け時＞
はじめに、作業員が例えば、機器の保全作業終了時に、ボックス１１の開口部を蓋板１２で塞ぐ場合について説明する。この場合、作業終了前においては、図３に示すように、機器の保全作業のためにボックス１１と、蓋板１２とが分離されており、ケーブル４０が引っ張られている。また、ケーブル４０がボックス１１内の収納スペースから外部に引き出されている状態である。
【００３３】
まず、作業員は、ばね１３３の一端に接続されているフック１３１に対してばね１３３の伸び方向に力を加える（引っ張る）ことで、フック１３１をレール１３２に沿って移動させる。
【００３４】
次に、図４に示すように、ボックス１１に蓋板１２を近づけることで、ケーブル４０を、レール１３２に沿ってばね１３３の伸び方向に移動させたフック１３１に引っ掛ける。
【００３５】
続いて、ボックス１１の開口部を蓋板１２で塞ぐために、ボックス１１に蓋板１２をさらに近づけることで、ケーブル４０が弛んでいき、ばね１３３に働く復元力によって、ばね１３３の縮み方向にフック１３１が移動する。
【００３６】
この場合、フック１３１に引っ掛かっているケーブル４０は、ばね１３３の復元力によるフック１３１の移動にしたがってボックス１１内に引き込まれていく。そして、最終的に、ボックス１１の開口部を蓋板１２で塞いだ状態では、図５に示すように、ばね１３３が元の位置に戻り、ケーブル４０がボックス１１内の収納スペースに位置することとなる。
【００３７】
このように、ばね１３３に働く復元力を利用することで、ばね１３３の一端に接続されたフック１３１に引っ掛けられたケーブル４０は、蓋板１２の取り付け中にボックス１１内の収納スペースに引き込まれていく。すなわち、蓋板１２の取り付け中にケーブル４０がボックス１１内の収納スペースに機械的に誘導されることとなる。
【００３８】
これにより、蓋板１２と、ボックス１１との間にケーブル４０を挟み込むことを防止することができる。また、このようなケーブル４０の挟み込みを気にする必要がないので、ケーブル収納工程の煩雑さが解消され、作業性を向上させることができる。
【００３９】
＜蓋板１２の取り外し時＞
次に、作業員が例えば、機器の保全作業開始時に、ボックス１１から蓋板１２を取り外す場合について説明する。この場合、作業開始前においては、図５に示すように、ボックス１１の開口部が蓋板１２で塞がれており、ケーブル４０がボックス１１内の収納スペースに位置している状態である。
【００４０】
まず、作業員は、ボックス１１から蓋板１２を取り外し、蓋板１２を分離することで、フック１３１に引っ掛かっているケーブル４０がボックス１１の外部に引き出されている状態にする。
【００４１】
また、ボックス１１から蓋板１２が離れることでケーブル４０が引っ張られるので、フック１３１に対してばね１３３の伸び方向に力が加わる（引っ張られる）こととなる。したがって、図４に示すように、フック１３１がレール１３２に沿ってばね１３３の伸び方向に移動する。
【００４２】
次に、作業員は、フック１３１に触れることができるように、ボックス１１から蓋板１２を離すことでフック１３１をばね１３３の伸び方向にさらに移動させ、ケーブル４０をフック１３１から外す。そして、図３に示すように、機器の保全作業を行うことが可能となる位置にまでボックス１１から蓋板１２をさらに離す。
【００４３】
このように、蓋板１２の取り外し時においては、前述した蓋板１２の取り付け時とは逆の工程を行うこととなる。
【００４４】
以上、本実施の形態１によれば、ボックス内に設けられたケーブル引き込み部における弾性体の一端に接続された係止部を弾性体の伸び方向に移動させ、このように移動させた係止部にボックス内へ収納されるケーブルを引っ掛けてボックスの開口部を蓋板で塞ぐようにする。これにより、ケーブル収納工程を行う際に、蓋板とボックスとの間にケーブルを挟みこむことを防止するとともに、作業性を向上させることができる。
【００４５】
なお、本実施の形態１では、機器箱１０の構造として、ボックス１１と、蓋板１２とが着脱可能（分離可能）である構造を例示したが、観音開き構造および片開き構造等といった蓋板１２が開閉可能である他の構造に対して適用してもよい。
【００４６】
また、本実施の形態１では、ケーブル４０は、蓋板１２に取り付けられたボタン２０および位置表示器３０に分岐して接続される１本のケーブルである場合を例示したが、複数本のケーブルである場合に適用してもよい。この場合、複数本のケーブルのそれぞれに対応するように複数個のケーブル引き込み部１３を設ければよく、これらをボックス１１内にすべて設けてもよいし、ボックス１１内と、蓋板１２の裏面とに分けて設けてもよい。また、複数本のケーブルがある場合、複数本のケーブルのうち、任意の本数ずつ束ねた上で、それぞれの束を複数個のケーブル引き込み部１３のそれぞれの係止部に引っ掛けるようにしてもよい。
【００４７】
また、本実施の形態１では、エレベータのかご内壁に設けられたかご操作盤に機器箱１０を適用した場合を例示したが、エレベータの乗場壁に設けられた乗場操作盤に機器箱１０を適用してもよい。この場合、蓋板１２には、エレベータの呼び登録を行うための上方向ボタンおよび下方向ボタン等といった機器が設けられる。
【００４８】
また、本実施の形態１では、エレベータのかご内壁に設けられたかご操作盤に機器箱１０を適用した場合を例示したが、蓋板１２に機器が取り付けられ、ボックス１１の開口部を蓋板１２で塞いだ際に、機器に接続されるケーブル４０がボックス１１内に収納される装置に機器箱１０を適用してもよい。
【００４９】
また、本実施の形態１におけるケーブル引き込み部１３は、新規に製造する機器箱に用いる場合に限定されず、実際に設置されている既存の機器箱に対して後から取り付けることによっても、本実施の形態１における機器箱１０と同様の効果が得られる。
【符号の説明】
【００５０】
１０  機器箱、１１  ボックス、１２  蓋板、１３  ケーブル引き込み部、２０  ボタン、３０  位置表示器、４０  ケーブル、５０  第１ケーブル用固定具、６０  第２ケーブル用固定具、１３１  フック（係止部）、１３２  レール、１３３  ばね（弾性体）、１３４  ばね用固定具。
【図１】
2015015436.tif 000003
【図２】
2015015436.tif 000004
【図３】
2015015436.tif 000005
【図４】
2015015436.tif 000006
【図５】
2015015436.tif 000007